(57)【要約】      （修正有）【課題】バイク等の前部に設置されているカゴに容易に取り付け可能の広告物であり、直立性を強化し、正面から見て広告面の面積を確保することができる。【解決手段】横長形の厚紙材よりなる広告物３の下部のほぼ中央にＵ字形に切り抜いた切抜部６と、その内側に配置された係止片４と、外側に配置された差込片５と、前記広告物３の上部のほぼ中央にあり、前記切抜部６の左右両端を通る縦仮想線１４，１５の外側にあって、前記縦仮想線の内側に横Ｕ字形に回帰する分断線７，８によって分断された展開片９，１０とを具備し、前記展開片を展開状態にして、前記係止片４を前カゴ１の内側に差し込み、広告物３を着脱自在に前カゴ１に係合し、前記係止片４を前カゴ１の前面上縁２の前部に跨乗できるようにしたことを特徴とする。【選択図】図１
0003116998.tif 000002
【実用新案登録請求の範囲】
【請求項１】
横長形の厚紙材よりなりバイク等の前カゴに装備される広告物であって、
前記広告物の下部のほぼ中央にＵ字形に切り抜いた切抜部と、
前記切抜部によって形成される形状の内側に配置された係止片と、
前記切抜部によって形成される形状の外側に配置された差込片と、
前記広告物の上部のほぼ中央にあり、前記切抜部の左右両端を通る２本の縦仮想線の外側にあって、横Ｕ字形に回帰する分断線によって分断された展開片とを具備し、
前記展開片を展開状態にして、前記差込片を前記前カゴの内側に沿って差し込み、前記広告物を着脱自在に前記前カゴに係合し、前記係止片を前記前カゴの前面上縁の前部に跨乗できるようにしたことを特徴とするバイク等の前カゴ用広告物。
【考案の詳細な説明】
【技術分野】
【０００１】  本考案は、バイク等の前部に設置されているカゴに着脱が容易な広告物に関するものである。
【背景技術】
【０００２】  バイク等販売店の店先において、販売を目的とするための表示内容は、性能諸元、価額、製造者名などであり、これらを表示したカードをクリップで、カゴの前面に挟む方法が、一般的に実用に供されている。しかし、この方法では、不特定多数の客に対して魅力ある製品としての訴求力に欠ける。注目されようとするためには、販促効果のあがる手段が必要とされる。【０００３】  そこで、少しでも効果のあがる手段として、看板を前カゴ前面に取り付ける方式が提案されている（実開Ｓ６３−１４４６８６）。公報によると、宣伝用のみならず業務用の宣伝にも利用できる利点があるとしているが、取り付け金具などの部品で看板を固定しなければならないという欠点がある。【０００４】  取り付け金具などの部品を必要とせず、広告パネルを着脱自在に取り付けるための方式が提案されている（特開２０００−１９０９５４）。公報によると、広告パネルの下部にある複数の切りかけを陳列ポケットの後壁にある対応する複数の差込穴に差し込んで取り付ける。この方法は、宣伝用としてバイク等の前カゴに適用するにはふさわしくない。【０００５】  取付方法の改善として、箱体の側面部にある隙間に挿入するのみで、プレミアム取付表示板を装着している方式が提案されている（特開２００４−４５８０２）。公報によると、係止片と吊り下げ片とを具備するプレミアム取付表示板であって、吊り下げ片を箱体の側面部にある隙間に挿入し、係止片で側面部を挟むことによって、プレミアム取付表示板を箱体に装着しようとするものである。この方法は、箱体に装着しようとするときは簡便であるが、バイク等の前カゴへの装着に転用しようとするとき、装着の相手側が箱体ではないので、広告面の直立性が、保持されないという致命的欠陥を生ずる。
【特許文献１】実開Ｓ６３−１４４６８６号公報
【特許文献２】特開２０００−１９０９５４号公報
【特許文献３】特開２００４−４５８０２号公報
【考案の開示】
【考案が解決しようとする課題】
【０００６】  解決しようとする問題点は、バイク等の前部に設置されているカゴに容易に取り付け可能の広告物であり、直立性を強化し、正面から見て広告面の面積を確保する点にある。
【課題を解決するための手段】
【０００７】  本考案は、横長形の厚紙材よりなりバイク等の前カゴに装備される広告物であって、前記広告物の下部のほぼ中央にＵ字形に切り抜いた切抜部と、前記切抜部によって形成される形状の内側に配置された係止片と、前記切抜部によって形成される形状の外側に配置された差込片と、前記広告物の上部のほぼ中央にあり、前記切抜部の左右両端を通る２本の縦仮想線の外側にあって、横Ｕ字形に回帰する分断線によって分断された展開片とを具備し、
前記展開片を展開状態にして、前記差込片を前記前カゴの内側に差し込み、前記広告物を着脱自在に前記前カゴに係合し、前記係止片を前記前カゴの前面上縁の前部に跨乗できるようにしたことを最も主要な特徴とする。
【考案の効果】
【０００８】  本考案のバイク等の前カゴ用広告物は、差込構造になっているので、着脱が容易であり、前カゴの左右側面および前面の内側に差し込み、前カゴに係合したので、広告物の直立性が強化されており、側面からの視認性がよく、また、装着時展開片は平面を維持した状態になるので、正面からの視認性が豊かになり、総じて立体感があり、販促効果があがるという利点がある。
【考案を実施するための最良の形態】
【０００９】  差込片を前カゴの左側面、右側面、前面の内側に差し込み、広告物を着脱自在に前カゴに係合し、係止片を前カゴの前面上縁の前部に跨乗し、展開片が平面状に展開できるようにする。
【実施例１】
【００１０】  図１は、本考案の実施例による広告物をバイク等の前カゴに装着した正面図であり、図２は、本考案の実施例による広告物をバイク等の前カゴに装着した左側面の部分図であり、図３は、本考案の実施例による広告物の平面図である。本明細書に記載のバイク等とは、モーターバイク、自転車等である。本明細書に記載の寸法は、概略値である。【００１１】  図３によって広告物３を詳述する。広告物３の形状は、横長形状であり、大きさは、縦５０ｃｍ、横８０ｃｍであるが、長方形とは限らない。広告物３は、消費者の購買意欲をたかめるために、写真、イラスト、文字をデザイン的に配置するので様々な形状が考えられるからである。広告物３は、コートボール紙又はコート紙を使用し、厚さは、０．８ｍｍである。【００１２】  広告物３の下部ほぼ中央部分に、切抜部６を設ける。切抜部６は、Ｕ字形左右同形に切り抜いた部分であり、Ｕ字形の外側寸法は、底辺３７ｃｍ、上辺３２ｃｍ、高さ、８．２ｃｍ、内側寸法は、幅３０ｃｍ、高さ７ｃｍである。高さは、Ｕ字形の最上位からの数値である。底辺は、広告物３の最低線より、７．５ｃｍに位置する。係止片４は、切抜部６によって形成される形状の内側部であり、差込片５は、切抜部６によって形成される形状の外側部である。【００１３】  広告物３の上部の左右部分に、展開片９、１０を設ける。上部は、広告物３の最低線より、２０〜２３ｃｍに位置する。左右の高さは同一である必要はない。展開片９、１０は、分断線７、８によって分断されている。分断線７の経路は、切抜部６の左端を通る縦仮想線１４の始点７ａから横Ｕ字状に始まり、終点７ｂに回帰し、この線に沿って、展開片９を分断し、分断線８の経路は、切抜部６の右端を通る縦仮想線１５の始点８ａから横Ｕ字状に始まり、終点８ｂに回帰し、この線に沿って展開片１０を分断する。本実施例としては、横Ｕ字状に囲まれた展開片の大きさは、縦６．５ｃｍ、横８ｃｍ程度の長方形であるが、分断線は、横Ｕ字状に限定されるものではなく、左右対称とも限らない。【００１４】  次に、図１、図２によって、広告物３をバイク等の前部に設置されているカゴに装着する手順を述べる。広告物３を縦仮想線１４，１５の付近で、軽く折り曲げる。軽く折り曲げられた広告物３の差込片５の中央部分を前カゴ１の前面に合わせながら、前カゴ１の上部から挿入して前カゴ１の内面に沿って差し込み、広告物３を着脱自在に前カゴ１に係合する。係止片４を前カゴ１の前面上縁２の前部に跨乗させる。広告物３は縦仮想線１４，１５の付近で、軽く折り曲げられているので、広告物３の直立性は確保される。広告物３は縦仮想線１４，１５の付近で、軽く折り曲げられているが、展開片９，１０の左端および右端は、広告物３から分断されているので、折り曲げられず、平面を維持する。【００１５】  広告物３は、上部面１２、展開片面１１、下部面１３にそれぞれ販売促進のための商品の宣伝情報を印刷する。印刷は、オフセット印刷又はシルクスクリーン印刷などによる。印刷後は、耐水性としてポリプロピレン樹脂などでコーティングを施す。上部面１２および下部面１３に施された情報は、分断跡９ａ、１０ａを除き側面からも視認性がよく、一方展開片面１１に施された情報は、正面からの視認性がよく、立体感が付加されるという利点がある。
【図面の簡単な説明】
【００１６】
【図１】本考案の実施例による広告物をバイク等の前カゴに装着した正面図である。
【図２】本考案の実施例による広告物をバイク等の前カゴに装着した左側面の部分図である。
【図３】本考案の実施例による広告物の平面図である。
【符号の説明】
【００１７】１  前カゴ
２  前面上縁
３  広告物
４  係止片
５  差込片
６  切抜部
７、８  分断線
９、１０  展開片
９ａ、１０ａ  分断跡
１１  展開片面
１２  上部面
１３  下部面
１４，１５  縦仮想線
【図１】
0003116998.tif 000003
【図２】
0003116998.tif 000004
【図３】
0003116998.tif 000005